(57)【要約】【課題】発熱体によって加熱されて、発熱体の通電を電気的に遮断可能に設けられた遮断装置を備える便座装置において、発熱体が発する熱を遮断装置に効率よく伝達させること。【解決手段】便座装置１は、着座面Ｓｂ１を有し、内部に空間を形成された便座部２０と、便座部２０の内側面のうち被覆面Ｓｂ３を覆うように配置され、着座面Ｓｂ１を加熱する加熱装置５０と、を備えている。加熱装置５０は、シート状に設けられ、一方面Ｓｓ１が被覆面Ｓｂ３を覆うように配置されたシート部５１と、シート部５１に配置され、通電されることにより発熱する発熱体５２と、他の部位よりも発熱体５２が密集して配置されることにより、他の部位に比べて発熱量が大きくなるように設けられた密集部５３と、被覆面Ｓｂ３と密集部５３との間に配置され、密集部５３によって加熱されることにより発熱体５２の通電を電気的に遮断可能に設けられている遮断装置５４と、を備えている。【選択図】  図４
2019013440.tif 000002
【特許請求の範囲】
【請求項１】
上側面に使用者が着座する着座面を有し、内部に空間を形成するように設けられた便座部と、
前記便座部の内側面のうち前記着座面の反対面を含む被覆面を覆うように配置され、前記着座面を加熱する加熱装置と、を備えた便座装置であって、
前記加熱装置は、
シート状に設けられ、一方面が前記被覆面を覆うように配置されたシート部と、
前記シート部に配置され、通電されることにより発熱する発熱体と、
他の部位よりも前記発熱体が密集して配置されることにより、前記他の部位に比べて発熱量が大きくなるように設けられた部位である密集部と、
前記被覆面と前記密集部との間に配置され、前記密集部によって加熱されることにより前記発熱体の通電を電気的に遮断可能に設けられている遮断装置と、を備えている便座装置。
【請求項２】
前記シート部は、本体部および前記本体部の周縁から突出する突出部を備え、
前記突出部は、前記本体部における前記シート部の他方面に相当する第一面と対向するように基端部を屈曲され、
前記密集部は、前記本体部の前記第一面に対向する前記突出部の第二面に前記発熱体が密集して配置されることにより設けられ、
前記遮断装置は、前記本体部の前記第一面と前記密集部との間にて、前記密集部と接触するように配置されている請求項１に記載の便座装置。
【請求項３】
前記本体部は、前記遮断装置と前記被覆面との間にて貫通する穴部が形成されている請求項２に記載の便座装置。
【請求項４】
前記被覆面における前記遮断装置と対向する部位と前記加熱装置との間には、空間部が設けられている請求項１乃至請求項３の何れか一項に記載の便座装置。
【請求項５】
前記密集部および前記遮断装置は、前記被覆面のうち前記着座面の反対面以外の部位に対向する位置に設けられている請求項１乃至請求項４の何れか一項に記載の便座装置。
【発明の詳細な説明】
【技術分野】
【０００１】
本発明は、便座装置に関する。
【背景技術】
【０００２】
便座装置の一形式として、特許文献１に示されているものが知られている。特許文献１の便座装置（暖房便座）は、特許文献１の図４に示されるように、着座部を有する便座、便座の裏面に設けた発熱体ユニット、および、発熱体ユニットに接続し、便座の異常温度上昇を検知して発熱体ユニットへの通電を遮断する温度過昇防止装置を備えている。温度過昇防止装置は、発熱体ユニットの裏面側に設けられるとともに、温度過昇防止装置の裏面側にも、発熱体ユニットが設けられている。
【先行技術文献】
【特許文献】
【０００３】
【特許文献１】特開２０１４−６８６６７号公報
【発明の概要】
【発明が解決しようとする課題】
【０００４】
しかしながら、上述した特許文献１の便座装置においては、温度過昇防止装置（遮断装置）に接触している発熱体ユニットの部位が、便座の内側面に接触しているため、発熱体ユニットによって発せられる熱が便座に移動する。このため、便座装置の異常によって発熱体ユニットが常時通電された状態となった場合、着座部の温度が比較的高温になることにより、使用者が着座部に着座したときに使用者が不快に感じることが考えられる。
【０００５】
これに対し、便座の異常温度上昇があった場合に、遮断装置を早期に作動させるために、通電が遮断される温度を比較的低く設定することが考えられる。しかしながら、この場合、便座装置の保管時において、環境温度が比較的高温になったとき、遮断装置が作動することが考えられる。
【０００６】
本発明は、上述した問題を解消するためになされたもので、発熱体によって加熱されることにより、発熱体の通電を電気的に遮断可能に設けられた遮断装置を備える便座装置において、発熱体が発する熱を遮断装置に効率よく伝達させることを目的とする。
【課題を解決するための手段】
【０００７】
上記の課題を解決するため、請求項１に係る便座装置は、上側面に使用者が着座する着座面を有し、内部に空間を形成するように設けられた便座部と、便座部の内側面のうち着座面の反対面を含む被覆面を覆うように配置され、着座面を加熱する加熱装置と、を備えた便座装置であって、加熱装置は、シート状に設けられ、一方面が被覆面を覆うように配置されたシート部と、シート部に配置され、通電されることにより発熱する発熱体と、他の部位よりも発熱体が密集して配置されることにより、他の部位に比べて発熱量が大きくなるように設けられた部位である密集部と、被覆面と密集部との間に配置され、密集部によって加熱されることにより発熱体の通電を電気的に遮断可能に設けられている遮断装置と、を備えている。
【発明の効果】
【０００８】
これによれば、遮断装置は、便座部の内側面における被覆面と加熱装置の密集部との間に配置されている。よって、密集部と被覆面とが離れているため、密集部を構成する発熱体によって発せられる熱は、被覆面ひいては便座部に伝達することが抑制される。したがって、発熱体が発する熱を遮断装置に効率よく伝達させることができる。
【図面の簡単な説明】
【０００９】
【図１】本発明による第一実施形態に係る便座装置を示す斜視図である。
【図２】図１に示す暖房便座装置の便座部の平面図である。
【図３】図２に示すIII−III線に沿った便座部の断面図である。
【図４】図３に示すIV-IV線に沿った便座部の断面図である。
【図５】図４に示す加熱装置の平面図であり、突出部の基端部が屈曲されていない状態を表している。
【図６】図５に示す遮断装置の構成を示す部分断面図である。
【図７】本発明による第一実施形態の第一変形例に係る便座装置の便座部の断面図である。
【図８】本発明による第二実施形態の第二変形例に係る便座装置の便座部の断面図である。
【図９】本発明による第三実施形態の第三変形例に係る便座装置の便座部の断面図である。
【図１０】本発明による第四実施形態の第四変形例に係る便座装置の便座部の断面図である。
【図１１】本発明による第二実施形態に係る便座装置の加熱装置を示す平面図である。
【図１２】本発明による第二実施形態に係る便座装置の便座部の断面図である。
【図１３】本発明による第二実施形態の第一変形例に係る便座装置の便座部の断面図である。
【図１４】本発明による第二実施形態の第二変形例に係る便座装置の便座部の断面図である。
【発明を実施するための形態】
【００１０】
＜第一実施形態＞
以下、本発明による便座装置の第一実施形態について図面を用いて説明する。なお、本明細書においては説明の便宜上、図１における上側および下側をそれぞれ便座装置１の上方および下方とし、同じく右下側および左上側をそれぞれ便座装置１の前方および後方とし、同じく左下側および右上側を、それぞれ便座装置１の左方および右方として説明する。
【００１１】
便座装置１は、本実施形態において、暖房便座である。便座装置１は、図１に示すように、腰掛式便器２に取り付けられている。便座装置１は、取付部１０、便座部２０、便座部２０を覆う便蓋部３０および制御装置４０を備えている。
【００１２】
取付部１０は、中空の箱状に形成されている。取付部１０は、腰掛式便器２に取り付けられている。取付部１０は、便座部２０および便蓋部３０を回動可能に保持する。取付部１０には、制御装置４０が収容されている。
【００１３】
便座部２０は、使用者に使用される場合に使用者が着座する着座面Ｓｂ１（図２参照）を有し、内部に空間を形成するように設けられたものである。着座面Ｓｂ１は、便座部２０が使用者に使用される場合に使用者が着座する部位である。便座部２０は、図２および図３に示すように、便座本体部２１、加熱装置２２（５０）および温度センサ２３を備えている。
【００１４】
便座本体部２１は、便座部２０の平面視において環状に形成されている（図２参照）。便座本体部２１は、内部に空間を有するように形成されている。便座本体部２１は、肉厚をおよそ一定とする中空状に形成されている（図３参照）。肉厚は、便座本体部２１を形成する側壁の厚みである。便座本体部２１は、熱可塑性樹脂によって形成されている。
【００１５】
また、便座本体部２１は、着座面Ｓｂ１を有している。着座面Ｓｂ１は、便座本体部２１の外表面のうち、使用者が上方から着座する部位である。着座面Ｓｂ１は、便座本体部２１の外表面における上側の部位である。着座面Ｓｂ１は、使用者が上方から着座した場合に使用者の人体が接触可能な範囲に設定されている。
【００１６】
加熱装置５０は、図３に示すように、便座部２０（便座本体部２１）の内側面のうち着座面Ｓｂ１の反対面Ｓｂ２を含む被覆面Ｓｂ３を覆うように配置され、着座面Ｓｂ１を加熱するものである。被覆面Ｓｂ３は、本実施形態においては、反対面Ｓｂ２と同じ面である。
【００１７】
加熱装置５０は、被覆面Ｓｂ３ひいては便座本体部２１の上側壁２１ａを加熱することにより、着座面Ｓｂ１を加熱する。加熱装置５０は、シート部５１、発熱体５２、密集部５３および遮断装置５４を備えている。
【００１８】
シート部５１は、シート状に形成され、一方面Ｓｓ１が被覆面Ｓｂ３を覆うように配置されたものである。シート部５１は、例えばアルミ箔である。本実施形態においては、シート部５１の一方面Ｓｓ１が、被覆面Ｓｂ３と接触し、例えば接着剤によって固定されている。シート部５１は、発熱体５２からの熱を被覆面Ｓｂ３に拡散させて、上側壁２１ａを介して着座面Ｓｂ１に伝達させる。シート部５１は、図２乃至図５に示すように、シート本体部５１ａ（本発明の本体部に相当）および突出部５１ｂを備えている。
【００１９】
シート本体部５１ａは、便座部２０の平面視において例えば馬蹄状に形成されている。シート本体部５１ａは、穴部５１ａ１が複数設けられている（図４および図５参照）。穴部５１ａ１は、シート本体部５１ａにおける遮断装置５４が配置された部位に設けられている。穴部５１ａ１は、遮断装置５４と被覆面Ｓｂ３との間にて貫通する貫通穴である。この穴部５１ａ１の内側の空間によって、遮断装置５４の熱がシート本体部５１ａひいては被覆面Ｓｂ３に放出されることが抑制される。
【００２０】
突出部５１ｂは、シート本体部５１ａの周縁から突出する部位である。突出部５１ｂとシート本体部５１ａとは、同じ厚みにて一体に形成されている。突出部５１ｂは、図３および図４に示すように、加熱装置５０が被覆面Ｓｂ３に配置された状態においては、シート本体部５１ａにおけるシート部５１の他方面Ｓｓ２に相当する第一面Ｓｓ３と対向するように基端部を屈曲されている。なお、図５に示す加熱装置５０は、突出部５１ｂの基端部が屈曲されていない状態のものである（図５に示す一点鎖線は、基端部が屈曲された突出部５１ｂの周縁を表している）。
【００２１】
突出部５１ｂは、図５に示すように、基端部が屈曲されていない状態において、シート本体部５１ａの周縁の右端におけるおよそ中央部から右方に向けて突出するように設けられている。突出部５１ｂは、平面視矩形状に設けられている。
【００２２】
発熱体５２は、図３乃至図５に示すように、シート部５１に配置され、通電されることにより発熱するものである。発熱体５２は、コード状の発熱体によって構成されたコードヒータである。発熱体５２は、制御装置４０を介して電源部（図示なし）から電力が供給されることにより通電されて発熱する。発熱体５２の両端が、制御装置４０を介して電源部に電気的に接続されている。電源部は、交流の系統電源である。
【００２３】
発熱体５２は、発熱部５２ｂおよび絶縁被覆５２ｃを備えている（図３参照）。発熱部５２ｂは、例えばガラス繊維からなる線芯（図示なし）に電熱用合金線（図示なし）が螺旋状に巻付けられたものである。絶縁被覆５２ｃは、絶縁性を有し、発熱部５２ｂの外周を覆うものである。絶縁被覆５２ｃは、例えばポリ塩化ビニルによって設けられている。
【００２４】
発熱体５２は、シート部５１の他方面Ｓｓ２（下面）に配置されている。発熱体５２は、絶縁被覆５２ｃがシート部５１に溶着されて固定される。シート部５１および発熱体５２によって構成される加熱装置５０は、面状発熱体である。
【００２５】
密集部５３は、他の部位よりも発熱体５２が密集して配置されることにより、他の部位に比べて発熱量が大きくなるように設けられた部位である。密集部５３は、本実施形態において、突出部５１ｂおよび突出部５１ｂに配置された発熱体５２（以下、密集発熱体５２ａともいう。）によって構成されている。他の部位は、シート本体部５１ａおよびシート本体部５１ａに配置された発熱体５２によって構成されている。
【００２６】
密集部５３は、具体的には、シート本体部５１ａの第一面Ｓｓ３に対向する突出部５１ｂの第二面Ｓｓ４に発熱体５２（密集発熱体５２ａ）が密集して配置されることにより設けられている。第二面Ｓｓ４は、突出部５１ｂにおけるシート部５１の他方面Ｓｓ２に相当する。このように、突出部５１ｂに配置された密集発熱体５２ａは、シート本体部５１ａに配置された発熱体５２に比べて密集している。よって、密集部５３の発熱量は、他の部位の発熱量に比べて大きい。
【００２７】
遮断装置５４は、被覆面Ｓｂ３と密集部５３との間に配置され、密集部５３によって加熱されることにより発熱体５２の通電を電気的に遮断可能に設けられているものである。遮断装置５４は、発熱体５２が常時通電された状態となる便座装置１の異常が発生した場合に、発熱体５２の通電を電気的に遮断する（詳細は後述する）。
【００２８】
遮断装置５４は、本実施形態においては、シート本体部５１ａの第一面Ｓｓ３と密集部５３との間にて、第一面Ｓｓ３および密集部５３と接触するように配置されている。これにより、遮断装置５４は、密集部５３に配置された発熱体５２（密集発熱体５２ａ）と直接接触するように配置される。また、これにより、密集部５３は、シート本体部５１ａの第一面Ｓｓ３と離れるように配置されている。また、遮断装置５４は、長手方向を前後方向に沿うように配置されている。遮断装置５４は、図６に示すように、温度ヒューズ５４ａおよび絶縁チューブ５４ｂを含んで構成されている。
【００２９】
温度ヒューズ５４ａは、非動作時に発熱体５２の通電を許容し、動作することにより発熱体５２の通電を電気的に遮断するものである。温度ヒューズ５４ａは、本実施形態において、可溶合金型の温度ヒューズである。また、温度ヒューズ５４ａは、アキシャルタイプの温度ヒューズである。温度ヒューズ５４ａは、発熱体５２に電気的に直列に配置されている。温度ヒューズ５４ａは、二つのリード線５４ａ１、可溶体５４ａ２および絶縁ケース５４ａ３を備えている。
【００３０】
各リード線５４ａ１の一端が発熱体５２に、例えば接続端子５４ｃを用いて電気的にそれぞれ接続されている。温度ヒューズ５４ａは、非動作時において各リード線５４ａ１の他端が可溶体５４ａ２によって電気的にそれぞれ接続されている。可溶体５４ａ２は、可溶性の合金体である。絶縁ケース５４ａ３は、金属材料によって筒状に形成され、内側に可溶体５４ａ２を収容する。
【００３１】
ここで、温度ヒューズ５４ａの動作について説明する。絶縁ケース５４ａ３ひいては可溶体５４ａ２が加熱されて可溶体５４ａ２の温度が所定温度以上となった場合、可溶体５４ａ２が溶融して分断する。これにより、各リード線５４ａ１間が電気的に遮断されるため、発熱体５２の通電が遮断される。所定温度は、温度ヒューズ５４ａが動作する温度に相当する。所定温度の詳細については、後述する。
【００３２】
絶縁チューブ５４ｂは、筒状に設けられ、内側に温度ヒューズ５４ａおよび接続端子５４ｃを収容するものである。また、絶縁チューブ５４ｂの内側にて、一方のリード線５４ａ１に電気的に接続された発熱体５２が、絶縁ケース５４ａ３の外表面に接触するように取り回されている。
【００３３】
絶縁チューブ５４ｂは、例えば軟質の塩化ビニルによって形成されている。絶縁チューブ５４ｂの両端に高周波ウェルダー加工が施されることにより、温度ヒューズ５４ａの防水性が確保されている。
【００３４】
温度センサ２３は、便座部２０（便座本体部２１）の内部に配置され、着座面Ｓｂ１の温度を検出するものである。温度センサ２３は、シート部５１の他方面Ｓｓ２におけるシート本体部５１ａの第一面Ｓｓ３以外の部位に配置されている。
【００３５】
温度センサ２３は、シート部５１の他方面Ｓｓ２の温度を検出することにより、着座面Ｓｂ１の温度を間接的に検出する。温度センサ２３によって検出された温度は、制御装置４０に出力される。
【００３６】
制御装置４０は、便座装置１を統括制御するものである。制御装置４０は、温度センサ２３によって検出された温度を使用して、着座面Ｓｂ１の温度を目標温度に調整するように、加熱装置５０（発熱体５２）をオンオフ制御する。目標温度は、複数の設定温度のうち、使用者が選択した設定温度に設定される。複数の設定温度は、目標温度を設定するための温度として、予め設定された温度である。使用者は、取付部１０に設けられたスイッチ（図示なし）によって設定温度を選択する。
【００３７】
次に、便座装置１に異常が発生していない場合においてオンオフ制御が実行されたときの便座装置１の動作について説明する。発熱体５２がオンオフ制御されることにより、加熱装置５０から被覆面Ｓｂ３に伝達する熱量が調整されて、着座面Ｓｂ１の温度が目標温度にておよそ一定に推移する。このとき、密集部５３においても密集発熱体５２ａがオンオフ制御されている。密集部５３が遮断装置５４に接触しているため、遮断装置５４が密集部５３によって加熱される。
【００３８】
上述したように密集部５３の発熱量がシート本体部５１ａの発熱量より大きいため、密集発熱体５２ａがオンオフ制御されているとき、遮断装置５４の温度が着座面Ｓｂ１の目標温度より高い温度にて、およそ一定にて推移する。これに対して、所定温度は、このときの可溶体５４ａ２の温度よりも高い温度に設定されている。すなわち、便座装置１に異常が発生していない場合、温度ヒューズ５４ａは動作しない。
【００３９】
次に、便座装置１に異常が発生し、発熱体５２が常時通電された状態となった場合における便座装置１の動作について説明する。この場合、発熱体５２（密集発熱体５２ａ）がオンオフされずに連続して通電された状態であるため、着座面Ｓｂ１の温度が目標温度より高くなるとともに、遮断装置５４の温度も上昇する。
【００４０】
続けて発熱体５２が連続して通電されて、遮断装置５４の温度がさらに上昇することにより、可溶体５４ａ２の温度が所定温度に到達する。このとき、温度ヒューズ５４ａが作動して、発熱体５２の通電が遮断される。これにより、便座装置１の安全性が確保される。なお、温度ヒューズ５４ａが作動した時における着座面Ｓｂ１の温度が、使用者の安全性が確保された温度となるように、所定温度および密集発熱体５２ａの密集の度合いが設定されている。
【００４１】
本第一実施形態によれば、便座装置１は、上側面に使用者が着座する着座面Ｓｂ１を有し、内部に空間を形成するように設けられた便座部２０と、便座部２０の内側面のうち着座面Ｓｂ１の反対面Ｓｂ２を含む被覆面Ｓｂ３を覆うように配置され、着座面Ｓｂ１を加熱する加熱装置５０と、を備えている。加熱装置５０は、シート状に設けられ、一方面Ｓｓ１が被覆面Ｓｂ３を覆うように配置されたシート部５１と、シート部５１に配置され、通電されることにより発熱する発熱体５２と、他の部位よりも発熱体５２が密集して配置されることにより、他の部位に比べて発熱量が大きくなるように設けられた部位である密集部５３と、被覆面Ｓｂ３と密集部５３との間に配置され、密集部５３によって加熱されることにより発熱体５２の通電を電気的に遮断可能に設けられている遮断装置５４と、を備えている。
【００４２】
これによれば、遮断装置５４は、便座部２０の内側面における被覆面Ｓｂ３と加熱装置５０の密集部５３との間に配置されている。よって、密集部５３が被覆面Ｓｂ３から離れて設けられているため、密集部５３を構成する密集発熱体５２ａによって発せられる熱は、被覆面Ｓｂ３ひいては便座部２０に伝達することが抑制される。したがって、発熱体５２（密集発熱体５２ａ）が発する熱を遮断装置５４に効率よく伝達させることができる。
【００４３】
また、シート部５１は、シート本体部５１ａおよびシート本体部５１ａの周縁から突出する突出部５１ｂを備えている。突出部５１ｂは、シート本体部５１ａにおけるシート部５１の他方面Ｓｓ２に相当する第一面Ｓｓ３と対向するように基端部を屈曲されている。密集部５３は、シート本体部５１ａの第一面Ｓｓ３に対向する突出部５１ｂの第二面Ｓｓ４に発熱体５２（密集発熱体５２ａ）が密集して配置されることにより設けられている。遮断装置５４は、シート本体部５１ａの第一面Ｓｓ３と密集部５３との間にて、密集部５３と接触するように配置されている。
【００４４】
これによれば、遮断装置５４と密集部５３を形成する密集発熱体５２ａとを直接接触させることができる。よって、加熱装置５０によって発せられる熱を遮断装置５４に、より効率よく伝達させることができる。
【００４５】
また、シート本体部５１ａは、遮断装置５４と被覆面Ｓｂ３との間にて貫通する穴部５１ａ１が形成されている。
【００４６】
これによれば、穴部５１ａ１によって遮断装置５４と便座部２０の被覆面Ｓｂ３との間に空間が形成される。このため、密集部５３から遮断装置５４に伝達した熱が、便座部２０に放出されることが抑制される。したがって、加熱装置５０によって発せられる熱を遮断装置５４に、さらに効率よく伝達させることができる。また、穴部５１ａ１は、比較的簡便に形成することができるため、比較的低コストにて遮断装置５４への熱伝達の高効率化を図ることができる。
【００４７】
＜第一実施形態の第一変形例＞
次に、本発明による第一実施形態の第一変形例について図７を用いて説明する。上述した第一実施形態に対して、本変形例においては、シート本体部５１ａに穴部５１ａ１が設けられていない。また、本変形例においては、被覆面Ｓｂ３における遮断装置５４と対向する部位（以下、対向面Ｓｂ４ともいう。）には、凸部１２１ｄが複数設けられている。
【００４８】
凸部１２１ｄは、対向面Ｓｂ４から突出するように設けられている。凸部１２１ｄは、左右方向に延びるように設けられ、対向面Ｓｂ４に遮断装置５４の長手方向（前後方向）に並べて設けられている。複数の凸部１２１ｄの先端に、加熱装置５０のシート部５１における遮断装置５４が配置された部位の一方面Ｓｓ１側が接触して配置される。これにより、互いに隣り合う凸部１２１ｄと加熱装置５０のシート部５１によって空間部Ｓ１が形成される。
【００４９】
このように、空間部Ｓ１は、対向面Ｓｂ４（被覆面Ｓｂ３）と加熱装置５０における遮断装置５４が配置された部位との間に設けられる。よって、空間部Ｓ１は、被覆面Ｓｂ３における対向面Ｓｂ４と遮断装置５４との間に設けられている。
【００５０】
本変形例によれば、被覆面Ｓｂ３における遮断装置５４と対向する部位（対向面Ｓｂ４）と加熱装置５０との間には、空間部Ｓ１が設けられている。
【００５１】
これによれば、遮断装置５４と便座部２０の被覆面Ｓｂ３との間に空間部Ｓ１が形成されている。このため、密集部５３から遮断装置５４に伝達した熱が、便座部２０に放出されることが抑制される。したがって、加熱装置５０によって発せられる熱を遮断装置５４に、さらに効率よく伝達させることができる。また、空間部Ｓ１は、比較的簡便に形成することができるため、比較的低コストにて遮断装置５４への熱伝達の高効率化を図ることができる。
【００５２】
＜第一実施形態の第二変形例＞
次に、本発明による第一実施形態の第二変形例について図８を用いて説明する。上述した第一実施形態に対して、本変形例においては、シート本体部５１ａに穴部５１ａ１が設けられていない。また、本変形例においては、被覆面Ｓｂ３における遮断装置５４と対向する部位（対向面Ｓｂ４）には、凹部２２１ｅが複数設けられている。
【００５３】
凹部２２１ｅは、対向面Ｓｂ４から凹むように設けられている。凹部２２１ｅは、対向面Ｓｂ４に遮断装置５４の長手方向（前後方向）に並べて設けられている。加熱装置５０における遮断装置５４が配置された部位が複数の凹部２２１ｅを覆うように、加熱装置５０が配置される。これにより、凹部２２１ｅの内側面と加熱装置５０のシート部５１によって空間部Ｓ２が形成される。凹部２２１ｅの内側面も対向面Ｓｂ４に相当するため、空間部Ｓ２は、対向面Ｓｂ４と遮断装置５４との間に設けられている。
【００５４】
＜第一実施形態の第三変形例＞
次に、本発明による第一実施形態の第三変形例について図９を用いて説明する。上述した第一実施形態に対して、本変形例においては、シート本体部５１ａに穴部５１ａ１が設けられていない。また、本変形例においては、加熱装置５０が便座部２０の右側壁２１ｂの内側面である右内側面Ｓｂ５を覆うように形成されている。すなわち、本変形例の被覆面Ｓｂ３は、反対面Ｓｂ２、および、便座部２０の右側壁２１ｂの内側面である右内側面Ｓｂ５を合わせた面である。
【００５５】
また、本変形例においては、密集部５３および遮断装置５４は、被覆面Ｓｂ３のうち着座面Ｓｂ１の反対面Ｓｂ２以外の部位に対向する位置に設けられている。すなわち、被覆面Ｓｂ３における遮断装置５４と対向する部位である対向面Ｓｂ４は、右内側面Ｓｂ５である。
【００５６】
また、本変形例においては、加熱装置５０は、対向面Ｓｂ４と離れて配置されている。これにより、加熱装置５０と対向面Ｓｂ４との間に、空間部Ｓ３が設けられる。この場合、シート部５１における遮断装置５４が配置された部位の一方面Ｓｓ１には、接着剤が塗布されていない。
【００５７】
本変形例においては、密集部５３および遮断装置５４は、被覆面Ｓｂ３のうち着座面Ｓｂ１の反対面Ｓｂ２以外の部位に対向する位置に設けられている。
【００５８】
これによれば、密集部５３および遮断装置５４が、便座部２０の被覆面Ｓｂ３のうち着座面Ｓｂ１の反対面Ｓｂ２以外の部位に対向する位置に設けられている。このため、密集部５３によって発せられる熱が着座面Ｓｂ１に伝達することが抑制される。よって、発熱体５２が常時通電された状態となった場合においても、着座面Ｓｂ１の温度が比較的高温になることが抑制される。したがって、使用者が着座面Ｓｂ１に着座したときに使用者が不快に感じることが抑制される。
【００５９】
＜第一実施形態の第四変形例＞
次に、本発明による第一実施形態の第四変形例について図１０を用いて説明する。上述した第一実施形態の第三変形例に対して、本変形例は、被覆面Ｓｂ３における遮断装置５４と対向する部位（右内側面Ｓｂ５（対向面Ｓｂ４））に、凸部４２１ｄが複数設けられている。
【００６０】
凸部４２１ｄは、右内側面Ｓｂ５から突出するように設けられている。凸部４２１ｄは、前後方向に延びるように設けられ、右内側面Ｓｂ５に上下方向に並べて設けられている。複数の凸部４２１ｄの先端に、加熱装置５０のシート部５１における遮断装置５４が配置された部位の一方面Ｓｓ１が接触して配置される。これにより、互いに隣り合う凸部４２１ｄと加熱装置５０のシート部５１によって空間部Ｓ４が形成される。よって、空間部Ｓ４は、被覆面Ｓｂ３における対向面Ｓｂ４と遮断装置５４との間に設けられている。
【００６１】
＜第二実施形態＞
次に、本発明による第二実施形態について、図１１および図１２を用いて説明する。本実施形態においては、シート部５５１は、突出部５１ｂを備えていない。このため、図１２に示すように、密集部５５３がシート本体部５５１ａに設けられている。密集部５５３は、シート本体部５５１ａの右側中央部に発熱体５５２が密集するように配置される（密集発熱体５５２ａが形成される）ことにより設けられている。また、シート本体部５５１ａは、上述した第一実施形態の穴部５１ａ１を備えていない。
【００６２】
また、本実施形態における遮断装置５４は、貫通穴５５１ｅを通って、シート部５５１の一方面Ｓｓ１にて密集部５５３に接触する位置に配置されている。これにより、加熱装置５０が被覆面Ｓｂ３に配置された場合、図１２に示すように、遮断装置５４が被覆面Ｓｂ３に直接接触するように配置される。
【００６３】
＜第二実施形態の第一変形例＞
次に、本発明による第二実施形態の第一変形例について図１３を用いて説明する。上述した第二実施形態に対して、本変形例においては、被覆面Ｓｂ３における遮断装置５４と対向する部位（対向面Ｓｂ４）には、凸部６２１ｄが複数設けられている。
【００６４】
凸部６２１ｄは、対向面Ｓｂ４から突出するように設けられている。凸部６２１ｄは、左右方向に延びるように設けられ、対向面Ｓｂ４に遮断装置５４の長手方向（前後方向）に並べて設けられている。複数の凸部６２１ｄの先端に、遮断装置５４が直接接触して配置される。これにより、互いに隣り合う凸部６２１ｄと遮断装置５４によって空間部Ｓ６が形成される。空間部Ｓ６は、対向面Ｓｂ４（被覆面Ｓｂ３）と遮断装置５４との間に設けられる。
【００６５】
＜第二実施形態の第二変形例＞
次に、本発明による第二実施形態の第二変形例について図１４を用いて説明する。上述した第二実施形態に対して、本変形例においては、被覆面Ｓｂ３における遮断装置５４と対向する部位（対向面Ｓｂ４）には、凹部７２１ｅが複数設けられている。
【００６６】
凹部７２１ｅは、対向面Ｓｂ４から凹むように設けられている。凹部７２１ｅは、対向面Ｓｂ４に遮断装置５４の長手方向（前後方向）に並べて設けられている。遮断装置５４が複数の凹部７２１ｅを覆うように、加熱装置５０が配置される。これにより、凹部７２１ｅの内側面と遮断装置５４によって空間部Ｓ７が形成される。凹部７２１ｅの内側面も対向面Ｓｂ４に相当するため、空間部Ｓ７は、対向面Ｓｂ４と遮断装置５４との間に設けられている。
【００６７】
＜他の変形例＞
なお、上述した実施形態において、便座装置の一例を示したが、本発明はこれに限定されず、他の構成を採用することもできる。例えば、上述した各実施形態および各変形例において、便座装置１は、取付部１０の内部に、人体の局部の洗浄を行う洗浄装置を備えるようにしても良い。この場合、便座装置１は、人体の局部を洗浄する温水洗浄便座装置として機能する。
【００６８】
また、上述した第一実施形態において、シート部５１は、穴部５１ａ１が設けられているが、これに代えて、穴部５１ａ１を設けないようにしても良い。また、上述した第一実施形態の各変形例においては、穴部５１ａ１が設けられていないが、これに代えて、穴部５１ａ１を設けるようにしても良い。
【００６９】
また、上述した第一実施形態の第三変形例において、空間部Ｓ３が設けられているが、これに代えて、空間部Ｓ３を設けないようにしても良い。この場合、右内側面Ｓｂ５（対向面Ｓｂ４）とシート部の一方面Ｓｓ１とが接触し、接着剤等によって固定される。
【００７０】
また、上述した各実施形態および各変形例において、遮断装置５４は、温度ヒューズ５４ａを用いて構成されているが、これに代えて、所定温度にて作動する復帰型のサーマルスイッチを用いるようにしても良い。この場合、自動復帰型でなく手動復帰型を用いるようにすると良い。
【００７１】
また、上述した各実施形態および各変形例において、被覆面Ｓｂ３における遮断装置５４と対向する部位（対向面Ｓｂ４）と加熱装置５０との間には、発泡体等によって設けられた断熱部材を配置するようにしても良い。また、第一実施形態の各変形例において、遮断装置５４とシート本体部５１ａの第一面Ｓｓ３との間に、空間部や断熱部材を設けるようにしても良い。
【００７２】
また、本発明の要旨を逸脱しない範囲において、シート部５１，５５１、シート本体部５１ａ、突出部５１ｂ、密集部５３，５５３、穴部５１ａ１、凸部１２１ｄ，４２１ｄ，６２１ｄ、凹部２２１ｅ，７２１ｅの位置や形状、および、着座面Ｓｂ１，反対面Ｓｂ２，被覆面Ｓｂ３，対向面Ｓｂ４の位置や大きさ、並びに、発熱体５２，５５２および遮断装置５４の配置を変更するようにしても良い。
【符号の説明】
【００７３】
１…便座装置、２０…便座部、２２（５０）…加熱装置、５１…シート部、５１ａ…シート本体部（本体部）、５１ａ１…穴部、５１ｂ…突出部、５２…発熱体、５３…密集部、５４…遮断装置、Ｓ１，Ｓ２，Ｓ３，Ｓ４，Ｓ６，Ｓ７…空間部、Ｓｂ１…着座面、Ｓｂ２…反対面、Ｓｂ３…被覆面、Ｓｓ１…一方面、Ｓｓ２…他方面、Ｓｓ３…第一面、Ｓｓ４…第二面。
【図１】
2019013440.tif 000003
【図２】
2019013440.tif 000004
【図３】
2019013440.tif 000005
【図４】
2019013440.tif 000006
【図５】
2019013440.tif 000007
【図６】
2019013440.tif 000008
【図７】
2019013440.tif 000009
【図８】
2019013440.tif 000010
【図９】
2019013440.tif 000011
【図１０】
2019013440.tif 000012
【図１１】
2019013440.tif 000013
【図１２】
2019013440.tif 000014
【図１３】
2019013440.tif 000015
【図１４】
2019013440.tif 000016